(57)【要約】【課題】  小型化が実現可能な固体撮像装置及びこれを備えた電子機器を提供する。【解決手段】  撮像素子１ａを備える撮像素子パッケージ１と、レンズの光軸方向へ延伸するガイド軸３と、ガイド軸３に係合するとともにレンズを保持するレンズホルダ４と、レンズホルダ４を前記光軸方向へ駆動するレンズ駆動部とを備え、ガイド軸３を、撮像素子パッケージ１内の撮影用領域を除く領域上に配置する。これにより、撮像素子パッケージ１の大きさに影響を受けることなくレンズのガイド機構を小型化でき、ひいては固体撮像装置１００を小型化することができる。【選択図】  図１
2006246382.tif 000002
【特許請求の範囲】
【請求項１】
撮像素子を備える撮像素子パッケージと、レンズの光軸方向へ延伸するガイド軸と、該ガイド軸に係合するとともに前記レンズを保持するレンズホルダと、該レンズホルダを前記光軸方向へ駆動するレンズ駆動部とを備え、
前記ガイド軸を、前記撮像素子パッケージ内の撮影用領域を除く領域上に配置することを特徴とする固体撮像装置。
【請求項２】
前記ガイド軸の一端を前記撮像素子パッケージを収納する台板上に固定することを特徴とする請求項１記載の固体撮像装置。
【請求項３】
前記台板の前記レンズホルダとの当接面に前記光軸方向に延伸する突起部を形成し、前記レンズホルダの前記台板との当接面に前記突起部に嵌合する凹部を形成することを特徴とする請求項２記載の固体撮像装置。
【請求項４】
前記ガイド軸の一端を前記台板に固定し、他端を前記ガイド軸、前記レンズホルダ及び前記レンズ駆動部を収納する外装ケースに固定することを特徴とする請求項２または３記載の固体撮像装置。
【請求項５】
請求項１から請求項４のいずれか一項記載の固体撮像装置を備えた電子機器。
【発明の詳細な説明】
【技術分野】
【０００１】
本発明は、固体撮像装置及びこれを備える電子機器に関する。
【背景技術】
【０００２】
従来、カメラ等の固体撮像装置でピントやズームを調整するために、ガイド軸を備えてレンズを光軸方向へ移動させる技術が提案されている。特許文献１では、１群レンズユニット及び２群レンズユニットを保持する本体と、３群レンズユニットを保持する枠体とで、ガイド軸を支持する技術が提案されている。
【特許文献１】特開平７−４３５７８号公報
【発明の開示】
【発明が解決しようとする課題】
【０００３】
しかしながら、上述した固体撮像装置では、レンズの光軸に直交する方向においてガイド軸を撮像素子から離間した位置に配置するため、装置を小型化するのが困難であるという問題があった。
【０００４】
そこで本発明は上記の問題に鑑みてなされたものであり、小型化が実現可能な固体撮像装置及び電子機器を提供することを目的とする。
【課題を解決するための手段】
【０００５】
上記課題を解決するために、本発明は、撮像素子を備える撮像素子パッケージと、レンズの光軸方向へ延伸するガイド軸と、該ガイド軸に係合するとともに前記レンズを保持するレンズホルダと、該レンズホルダを前記光軸方向へ駆動するレンズ駆動部とを備え、前記ガイド軸を、前記撮像素子パッケージ内の撮影用領域を除く領域上に配置することを特徴とする。
【０００６】
本発明によれば、ガイド軸を前記撮像素子パッケージ内の撮影用領域を除く領域上に配置するので、撮像素子パッケージの大きさに影響を受けることなくレンズのガイド機構を小型化でき、ひいては固体撮像装置を小型化することができる。
また、本発明は、前記ガイド軸の一端を前記撮像素子パッケージを収納する台板上に固定してもよい。本発明によれば、ガイド軸からの負荷が撮像素子パッケージにかかることを防止できる。
【０００７】
また、本発明は、前記台板の前記レンズホルダとの当接面に前記光軸方向に延伸する突起部を形成し、前記レンズホルダの前記台板との当接面に前記突起部に嵌合する凹部を形成してもよい。本発明によれば、レンズホルダと台板とが当接する際に、突起部と凹部とが嵌合することにより、レンズホルダが台板からずれることを防止できる。
【０００８】
また、本発明は、前記ガイド軸の一端を前記台板に固定し、他端を前記ガイド軸、前記レンズホルダ及び前記レンズ駆動部を収納する外装ケースに固定してもよい。本発明によれば、ガイド軸をより安定して保持することができる。
【０００９】
また、本発明は、前記固体撮像装置を備えた電子機器も含む。これにより、小型化が実現可能な固体撮像装置を備えた携帯端末等の電子機器を提供することができる。
【発明の効果】
【００１０】
本発明によれば、小型化が実現可能な固体撮像装置及びこれを備えた電子機器を提供することができる。
【発明を実施するための最良の形態】
【００１１】
以下、本発明を実施するための最良の形態を説明する。
【００１２】
図１は、本発明に係る固体撮像装置１００の構成を示す図である。図１に示すように、固体撮像装置１００は、撮像素子パッケージ１、台板２、ガイド軸３、レンズホルダ４及び外装ケース５を備えている。固体撮像装置１００は、例えば携帯端末等の電子機器内に設けられている。図２は、本発明に係る固体撮像装置１００の上面図、図３は、本発明に係る固体撮像装置の図２におけるＡ−Ａ断面図である。
【００１３】
図３に示すように、撮像素子パッケージ１は、撮像素子１ａと、これを収納する凹部を有するケース部材１ｂと、凹部を塞ぐように固定される光学フィルタ１ｃとから構成されている。撮像素子パッケージ１は、台板２の下面に形成した凹部内に収納されている。台板２の上面（被写体側の面）には、軸固定部２ａを２ケ所に形成する。この軸固定部２ａは、撮像素子パッケージ１の撮影用領域を除く領域上で、ガイド軸３の一端に嵌合する凹部として形成されている。一対のガイド軸３は、レンズ（不図示）の光軸方向へ延伸した状態で、図３に示すＢ部詳細のように、その一端が軸固定部２ａに固定されている。
【００１４】
図１に示すように、レンズホルダ４には、中央部に被写体からの撮影用の光を通す開口が設けられており、この開口に不図示のレンズが固定されている。また、レンズホルダ４は、第１貫通孔４ｂ及び第２貫通孔４ｃを備え、これらの貫通孔４ｂ、４ｃが、一対のガイド軸３と光軸方向へ摺動自在に嵌合している。第１貫通孔４ｂは、レンズホルダ４に形成する第１貫通孔４ｂ及び第２貫通孔４ｃと、台板２に形成する軸固定部２ａとの穴位置等の公差を考慮して、楕円形状に形成されている。また、第１貫通孔４ｂ及び第２貫通孔４ｃは、レンズホルダ４が台板２に当接した際に、ガイド軸３が傾かない程度の深さに形成されている。後述するように、本実施例では、レンズホルダ４を台板２に当接させた後に、ガイド軸３を台板２の軸固定部２ａに嵌合させている。このとき、ガイド軸３が傾いてしまうと、外装ケース５や図示しない他のレンズホルダ等の部品をガイド軸３に組み付けることが困難になる。そこで、第１貫通孔４ｂ及び第２貫通孔４ｃの深さをガイド軸３が傾かない程度の深さにすれば上記のような問題を解決することができる。レンズホルダ４の下面（台板２との当接面）外周部には、一対の凹部４ａが形成されている。また、台板２の上面（レンズホルダ４との当接面）外周部にはレンズホルダ４の下面が台板２の上面に当接した際に、レンズホルダ４に形成した一対の凹部４ａに嵌合するよう、一対の突起部２ｂが光軸方向に延伸するように形成されている。
【００１５】
図示しないレンズ駆動部は、台板２上に搭載され、レンズホルダ４に係合してレンズホルダ４を光軸方向に駆動する。例えば、レンズ駆動部は、レンズホルダ４の外周部に係合するリードスクリューと、このリードスクリューを回転させるステッピングモータとを備え、リードスクリューの回転に応じてレンズホルダ４を光軸方向へ移動させる。外装ケース５は、ガイド軸３、レンズホルダ４及びレンズ駆動部を凹状に形成されたケース内部に収納して、台板２に固定されている。また、外装ケース５の内面上部には、一対のガイド軸３の他端を固定する軸固定部が形成されている。
【００１６】
本実施例の固体撮像装置１００は、以下の工程によって製造される。まず、予め撮像素子１ａを収納した撮像素子パッケージ１を台板２の凹部に収納して固定する。次に、台板２に形成した一対の突起部２ｂにレンズホルダ４に形成した一対の凹部４ａが嵌合するように、レンズホルダ４を台板２に当接させる。続いて、一対のガイド軸３をレンズホルダ４の第１貫通孔４ｂ及び第２貫通孔４ｃに挿入して、それぞれの一端を軸固定部２ａに嵌合させる。最後に、一対のガイド軸３の他端が外装ケース５の軸固定部に嵌合するように、外装ケース５を台板２に固定する。
【００１７】
これにより、本実施例の固体撮像装置１００において、次に示す効果が得られる。ガイド軸３の一端を撮像素子パッケージ１の撮影用領域を除く領域上で、台板２に固定するので、光軸方向において撮像素子パッケージ１の大きさに影響を受けることなくレンズのガイド機構を小型化でき、ひいては固体撮像装置１００を小型化することができる。さらに、ガイド軸３からの負荷が撮像素子パッケージ１に直接作用することを防止できる。また、レンズホルダ４を台板２に当接させた後に、ガイド軸３を台板２の軸固定部２ａに嵌合させているので、レンズホルダ４の第１貫通孔４ｂ及び第２貫通孔４ｃと台板２の軸固定部２ａとがガイド軸３の軸受部として機能する。よって、レンズホルダ４を台板２に当接させる前にガイド軸３を軸固定部２ａに嵌合させる場合よりも、軸受部の深さを深くできるので、ガイド軸３をより安定して保持できる。また、貫通孔４ｂ、４ｃと軸固定部２ａとがガイド軸３を安定して保持するので、ガイド軸３を軸固定部２ａに固定する接着剤等を必要とせず、構成及び製造工程を簡略化できる。また、第１貫通孔４ｂ及び第２貫通孔４ｃをガイド軸３が傾かない深さに形成しているので、軸固定部２ａの深さを深くすることなくガイド軸３を安定して保持することができる。これにより、台板２の軸固定部２ａの深さを深くする必要がないので、台板２が光軸方向に大きくなることを防止でき、固体撮像装置１００を光軸方向に小型化することができる。また、台板２に形成した一対の突起部２ｂが、レンズホルダ４に形成した一対の凹部４ａと嵌合するよう形成されているので、レンズホルダ４の組付時にレンズホルダ４が台板２からずれることを防止できる。また、ガイド軸３の一端を台板２の軸固定部２ａに嵌合し、他端を外装ケース５に嵌合しているので、ガイド軸３をより安定して保持することができる。よって、ガイド軸３を外装ケース５に固定するための接着剤等を必要とせず、構成及び製造工程を簡略化できる。
【００１８】
なお、一対のガイド軸３の一端を、台板２の軸固定部２ａとの嵌合を隙間嵌めにし、撮像素子パッケージ１のケース部材１ｂに軸固定部を形成して、ケース部材１ｂに固定しても構わない。また、台板２に形成した突起部２ｂと、レンズホルダ４に形成した凹部４ａは、レンズホルダ４の組付時に、レンズホルダ４の位置決めができる形状であれば、例えばノックピンのようなものでもよい。また、レンズホルダ４以外にも、他のレンズホルダを一対のガイド軸３と光軸方向へ摺動自在に嵌合させてもよい。また、レンズホルダ４の被写体側、すなわちレンズホルダ４と外装ケース５との間に他のレンズホルダを配置してもよい。また、外装ケース５を、台板２を収納する程度の大きさとしてもよい。
【００１９】
以上本発明の好ましい実施形態について詳述してきたが、本発明は係る特定の実施形態に限定されるものではなく、特許請求の範囲に記載された本発明の要旨の範囲内において、種々の変形、変更が可能である。
【図面の簡単な説明】
【００２０】
【図１】本発明に係る固体撮像装置１００の構成を示す図である。
【図２】本発明に係る固体撮像装置１００の上面図である。
【図３】本発明に係る固体撮像装置の図２におけるＡ−Ａ断面図である。
【符号の説明】
【００２１】
１  撮像素子パッケージ
１ａ  撮像素子
１ｂ  ケース部材
１ｃ  光学フィルタ
２  台板
２ａ  軸固定部
２ｂ  突起部
３  ガイド軸
４  レンズホルダ
４ａ  凹部
４ｂ  第１貫通孔
４ｃ  第２貫通孔
５  外装ケース
１００  固体撮像装置
【図１】
2006246382.tif 000003
【図２】
2006246382.tif 000004
【図３】
2006246382.tif 000005